(57)【要約】【課題】シート状の素材を用い、この素材上に数字，人体構造，言葉の組立，判断，病院生活に必要な単語，感情，希望などの単語を欄を設けて各区分に区分けし、かつ色分けして患者が見易く、違和感なく、しかもストレスを伴うことなく快適に利用できるようにした発声不全者用簡易言語伝達表の提供。【解決手段】素材の表面に言語の伝達可能な単語を、数字の欄Ａ、この数字に関連する単位の欄Ｂ、時の概念の欄Ｃ、方位方向を示す欄Ｄ、○，△，×に対応する簡単な単語群を区劃して示す判断の欄Ｅ、人体部分を示す欄Ｆ、言葉の組立を示す欄Ｇ、病院生活に必要な用語の記載欄Ｈ、健康状態の欄Ｉ、味覚感情の欄Ｊ，希望願望の欄Ｋ１（１）及びＫ２（２），社会情勢の欄Ｌ、特定の人，物や地域の表示欄Ｍ、が欄毎３，３，……に表示され、かつ之等の欄毎に感情を緩らげる、緑，青，黄及び中間色に色分けして表示したことを特徴とする発声不全用簡易言語伝達表。【選択図】図１
2009145675.tif 000002
【特許請求の範囲】
【請求項１】
シート状の素材の表面に言語の伝達可能な単語を、数字の欄、この数字に関連する単位の欄、時の概念の欄、方位方向を示す欄、○，△，×に対応する簡単な単語群を区劃して示す判断の欄、人体部分を示す欄、言葉の組立を示す欄、病院生活に必要な用語の記載欄、健康状態の欄、味覚感情の欄、希望願望の欄（１）及び（２）、社会情勢の欄、特定の人，物や地域の表示欄、が各欄毎に表示され、かつ之等の欄毎に感情を緩らげる、緑，青，黄，及び之等の中間色に色分けして表示したことを特徴とする発声不全用簡易言語伝達表。
【請求項２】
シート状の素材は、紙ないし耐水性プラスチックシートで構成され、方形でかつ大きさを自由として成ることを特徴とする請求項１記載の発声不全用簡易言語伝達表。
【請求項３】
数字の欄は、「０ないし９」を基本とし、さらに「１０，１００，１０００，１００００」などを一列に表示し、この数字に関連する単位の欄は、「ｃｍ，ｍ，人，時，から，まで，円，月日」などを下方に列記し、時の概念の欄には、上記欄の下方片側に「今日，昨日，明日，今週，来週，次」などを記し、かつ方位，方向を示す欄は、時の概念の欄と対称位置の反対側に沿って「奥，上，中，下，手前」などと「中」の左右に「左，右」を記すと共に、前記時の概念の欄と方位方向を示す欄の中間に、判断の欄として「○  ＯＫ，そう，いる，する，できる」，「△  まあまあ，普通，少し，あまり」及び「×  タメ，違う，いらない，しない，できない」などを３列に並記し、之等の下方に、順次と人体部分を示す欄として「血圧  体調  目  口  頭  鼻  声  のど  首  手  お腹  足  腰  おしり  顔  感覚  薬  点滴  管  ＣＴ  診察」などを、ついで、言葉の組立を示す欄には「言葉  文字  表現  組立  ひらがな  カタカナ  漢字  読む  書く  聞く  話す  考える  感じる  練習する  難しい  しづらい  分かる  分からない  リハビリ」などを、病院生活に必要な用語の欄として「食事  睡眠  洗濯  着替え  下着  パジャマ  歯磨き  化粧品  袋  棚  スリッパ  水  飲み物  布団  お風呂」などを、そして健康状態の欄には「眠い  疲れた  痛い  だるい  ボーっとする  大丈夫」などを、味覚，感情の欄には「おいしい  まずい  うれしい  楽しい  辛い  怒る」などを、希望，願望の欄（１）には「着替えたい  洗いたい  行きたい  変わった  心配だ  お腹空いた  飲みたい  寒い  熱い  起きたい  知りたい  ベッドを倒す  ベッドを上げる  ひっくりかえす  歩く」などを、さらに欄（２）には「もってきて  とって  見せて  呼んで  買ってきて  とりかえたい  もってかえって  おいておく  はずしたい」などを、社会情勢の欄には「メール  連絡  電話  ニュース  テレビ  ラジオ  新聞  ペン  紙  本  雑誌  音楽  外出  家  会社  仕事」などを、そして特定の人，物，地域の表示欄には「お医者さん  看護婦さん  義親  宏  麻里子  美和子  コウさん  お花  韓国  日本」などをそれぞれ表示して成ることを特徴とする請求項１記載の発声不全用簡易言語伝達表。
【発明の詳細な説明】
【技術分野】
【０００１】
本発明は、脳障害，声帯異常など、発声不全になった身障者，高齢者などを対象にした、対話のために用いる発声不全者用簡易言語伝達表に関する。
【背景技術】
【０００２】
一般に、脳溢血，脳梗塞などの脳障害とか声帯を損傷した患者，病人には、身体の作動不能に加え、発声不全を伴う場合があり、また別の病害で声帯自体を損傷する場合もあり、意識が正常でも発声ができないか、舌がもつれて言葉が聴き取れないなどの不都合がある。
【０００３】
このような場合、患者本人はもとより、看護，介護する人との意志の疎通を図ろうとしても通じない場合がある。
【０００４】
これを解決するものとして、例えばアイウエオを一字づつ各行に並べたアイウエオの５０字音順表示板を用い、患者自らが一字一字を選んで自己の意志を伝達しているのが一般的である（例えば、特許文献１参照）。
【０００５】
しかし乍ら、一字一字を選ぶのに時間が掛かり、多くの伝達内容を短時間に正確に相手に伝えることは殆ど不可能であり、かつ患者自身の疲労，ストレスも免れ得ない。
【０００６】
さらに、人体を図示し、かつ言葉を並記して、患者の意志をボード上に表示して伝えようとした大型の装置も知られている（例えば、特許文献２参照）。
【特許文献１】実用新案登録第３１１１１４９号公報
【特許文献２】特開２００２−３０４１１６号公報
【発明の開示】
【発明が解決しようとする課題】
【０００７】
ところで、上記特許文献１は、単なる表示板であっても、アイウエオの５０字音順表示板であって、患者とのコミュニケーションがスムーズに行い難く、しかも患者自身が言葉一つ一つを一字づつ探す作業も仲々困難を生じてストレスが溜まり易いという不都合，問題があり、患者や介護や、看病のための奉仕には殆ど役立たない不都合がある。
【０００８】
さらに、特許文献２にあっては、専ら人体の場所のみの異常箇所や変調箇所、さらには苦痛箇所の伝達が行えるのみであり、しかも大型装置のためのコストも高く、広く安価に実施できないという不都合があった。
【０００９】
本発明は叙上の点に着目して成されたもので、全体がシート状の素材を用い、この素材上に数字，単位，人体構造，病状，言葉の組立，判断，病院生活に必要な単語，健康状態，感情，希望，願望，家族氏名，などの単語を各区分に区分けし、かつ色分けして患者が一見して見易く構成して、殆ど全く違和感なく、しかもストレスを伴うことなく快適に利用できるようにした発声不全者用簡易言語伝達表を提供することを目的とする。
【課題を解決するための手段】
【００１０】
この発明は下記の構成を備えることにより上記課題を解決できるものである。
【００１１】
（１）シート状の素材の表面に言語の伝達可能な単語を、数字の欄、この数字に関連する単位の欄、時の概念の欄、方位方向を示す欄、○，△，×に対応する簡単な単語群を区劃して示す判断の欄、人体部分を示す欄、言葉の組立を示す欄、病院生活に必要な用語の記載欄、健康状態の欄、味覚感情の欄、希望願望の欄（１）及び（２）、社会情勢の欄、特定の人，物や地域の表示欄、が各欄毎に表示され、かつ之等の欄毎に感情を緩らげる、緑，青，黄，及び之等の中間色に色分けして表示したことを特徴とする発声不全用簡易言語伝達表。
【００１２】
（２）シート状の素材は、紙ないし耐水性プラスチックシートで構成され、方形でかつ大きさを自由として成ることを特徴とする前記（１）記載の発声不全用簡易言語伝達表。
【００１３】
（３）数字の欄は、「０ないし９」を基本とし、さらに「１０，１００，１０００，１００００」などを一列に表示し、この数字に関連する単位の欄は、「ｃｍ，ｍ，人，時，から，まで，円，月日」などを下方に列記し、時の概念の欄には、上記欄の下方片側に「今日，昨日，明日，今週，来週，次」などを記し、かつ方位，方向を示す欄は、時の概念の欄と対称位置の反対側に沿って「奥，上，中，下，手前」などと「中」の左右に「左，右」を記すと共に、前記時の概念の欄と方位方向を示す欄の中間に、判断の欄として「○  ＯＫ，そう，いる，する，できる」，「△  まあまあ，普通，少し，あまり」及び「×  タメ，違う，いらない，しない，できない」などを３列に並記し、之等の下方に、順次と人体部分を示す欄として「血圧  体調  目  口  頭  鼻  声  のど  首  手  お腹  足  腰  おしり  顔  感覚  薬  点滴  管  ＣＴ  診察」などを、ついで、言葉の組立を示す欄には「言葉  文字  表現  組立  ひらがな  カタカナ  漢字  読む  書く  聞く  話す  考える  感じる  練習する  難しい  しづらい  分かる  分からない  リハビリ」などを、病院生活に必要な用語の欄として「食事  睡眠  洗濯  着替え  下着  パジャマ  歯磨き  化粧品  袋  棚  スリッパ  水  飲み物  布団  お風呂」などを、そして健康状態の欄には「眠い  疲れた  痛い  だるい  ボーっとする  大丈夫」などを、味覚，感情の欄には「おいしい  まずい  うれしい  楽しい  辛い  怒る」などを、希望，願望の欄（１）には「着替えたい  洗いたい  行きたい  変わった  心配だ  お腹空いた  飲みたい  寒い  熱い  起きたい  知りたい  ベッドを倒す  ベッドを上げる  ひっくりかえす  歩く」などを、さらに欄（２）には「もってきて  とって  見せて  呼んで  買ってきて  とりかえたい  もってかえって  おいておく  はずしたい」などを、社会情勢の欄には「メール  連絡  電話  ニュース  テレビ  ラジオ  新聞  ペン  紙  本  雑誌  音楽  外出  家  会社  仕事」などを、そして特定の人，物，地域の表示欄には「お医者さん  看護婦さん  義親  宏  麻里子  美和子  コウさん  お花  韓国  日本」などをそれぞれ表示して成ることを特徴とする前記（１）記載の発声不全用簡易言語伝達表。
【発明の効果】
【００１４】
本発明によれば、発声機能を損傷した患者にとって、自分の意志を他人に伝達するのは極めて難しい。
【００１５】
医師，看護師や家族との対話に際し、本発明に係るシート状のボード素材を介在させれば、患者は指差し操作で殆んどあらゆる数字や言葉を選んで指示できる。
【００１６】
したがって、患者は全くストレスを感ずることなく、他人との対話を無言状態で速やかに行うことができ、質問に対して返事を的確に、しかも迅速に行えて、意志の疎通を欠くことはない。
【００１７】
そして本発明によれば、反覆使用により患者は自分の意識，感情を表示する適当な言葉の言語が、どの欄にあるかが自然に学習できるので、慣れも生まれて快適に利用できるという効果がある。
【００１８】
このように、患者の利用性が高い上に、全体の構成がシート状の素材で形成されるので、製作も比較的安価に量産でき、持ち運びも簡単であり、小形にも大形にも大きさを自由に形成できると共に、病院は勿論、施設や自宅でも好みの場所で利用できるという利点を有する。
【発明を実施するための最良の形態】
【００１９】
以下に、本発明の一実施例を図面と共に詳細に説明する。
【実施例】
【００２０】
図面において、１はシート状の紙やプラスチックなどの可撓性の方形の素材を示し、２は表面の印刷面を示す。
【００２１】
３，３，……は、印刷面２に区劃されて表記される数字，図形，言葉の言語などを表示した多数の欄を示す。
【００２２】
つぎに各欄３の詳細の一例を示す。
【００２３】
最上段より順次と最下段に向う状態に連結する各段の欄３，３，……について、その一例を説明する。
【００２４】
しかし、この各段の欄３，３，……は、一実施の説明であり、その配列状態は、何等特定されるものではなく、自由に変化変形できることは勿論である。
【００２５】
Ａは、数字の欄３を示し、「０ないし９」を基本とし、さらに「１０，１００，１０００，１００００」などを一列に表示してある。
【００２６】
Ｂは、この数字に関連する単位の欄３を示し、「ｃｍ，ｍ，人，時，から，まで，円，月日」などを列記してある。したがって、Ａ欄，Ｂ欄の数学や単位を選べば、すべての日時，長さ，値段を示すことができる。
【００２７】
Ｃは、上記数字に関連する単位の欄３の下方右側に沿って縦方向に配列した時の概念の欄３を示し、「今日，昨日，明日，今週，来週，次」などを表記してある。
【００２８】
Ｄは、同じく上記数字に関連する単位の欄３の下方左側に沿って縦方向に配列した「奥，上，中，下，手前」と前記「中」の左右に「左，右」を記した、前記時の概念の欄３と対象位置に設けた方位方向の欄３を示す。したがって、之等の欄Ｃ，Ｄにより「今日」とか「上」などを選んで意志を伝えられる。
【００２９】
Ｅは、前記欄Ｃ，Ｄの中間位置に３列に配設した判断の欄３であり、Ｅ１は「○  ＯＫ，そう，いる，する，できる」を縦書にした○印の欄であり、Ｅ２は「△  まあまあ，普通，少し，あまり」を縦記した△印の欄であり、Ｅ３は「×  ダメ，違う，いらない，しない，できない」を縦書した×印の欄を示し、△印の欄Ｅ２を中心とし、その左右に○印の欄Ｅ１、×印の欄Ｅ３を並記して構成する。
【００３０】
この判断の欄ＥのＥ１，Ｅ２，Ｅ３に示された記号や言葉を選んで自己の判断，意志を示すことができる。
【００３１】
Ｆは、人体部分を示す欄３であって、診察関連事項を含む「血圧  体調  目  口  頭  鼻  声  のど  首  手  お腹  足  腰  おしり  顔  感覚  薬  点滴  管  ＣＴ  診察」が表記されている。
【００３２】
Ｇは、言葉の組立を示す欄３であって、「言葉  文字  表現  組立  ひらがな  カタカナ  漢字  読む  書く  聞く  話す  考える  感じる  練習する  難しい  しづらい  分かる  分からない  リハビリ」が表記されている。
【００３３】
Ｈは、病院生活に必要な用語の欄３であって、「食事  睡眠  洗濯  着替え  下着  パジャマ  歯磨き  化粧品  袋  棚  スリッパ  水  飲み物  布団  お風呂」が表記されている。
【００３４】
Ｉは、健康状態の欄３であって、「眠い  疲れた  痛い  だるい  ボーっとする  大丈夫」が表示される。
【００３５】
Ｊは、味覚，感情の欄３であって、「おいしい  まずい  うれしい  楽しい  辛い  怒る」が表示されている。
【００３６】
Ｋ１は、希望願望の欄３であって、「着替えたい  洗いたい  行きたい  変わった  心配だ  お腹空いた  飲みたい  寒い  熱い  起きたい  知りたい  ベッドを倒す  ベッドを上げる  ひっくりかえす  歩く」が、またＫ２には「もってきて  とって  見せて  呼んで  買ってきて  とりかえたい  もってかえって  おいておく  はずしたい」が表示されている。
【００３７】
Ｌは、社会情勢の欄３であって、「メール  連絡  電話  ニュース  テレビ  ラジオ  新聞  ペン  紙  本  雑誌  音楽  外出  家  会社  仕事」が示されている。
【００３８】
Ｍは、特定の人，物，地域の表示欄３を示すものであって、「お医者さん  看護婦さん  義親  宏  麻里子  美和子  コウさん  お花  韓国  日本」が記載されている。
【００３９】
そして、上記したＡ〜Ｍの各表示される欄３，３，……には、人間の感情を静め、緩らげる色として全体の下地には緑色を基調とし、白抜き，黄色，淡青色，淡赤色を配色し、特に判断の欄Ｅの○印の欄Ｅ１には最も訴える力の強い赤色、そして×印の欄Ｅ３には青色を施し、使用者即ち患者，病人の判断意志を強くアピールできるように配慮して置くのが好ましい。
【００４０】
以上の構成に成るので、医師，看護師，介護者，家族の問い掛けに際して、患者，病人は病院又は家庭においてこの素材１を見乍ら自分の意志を指等で所定の文字，数字，記号，図形などを示して、相手に対して自分の意志を伝えることができる。
【００４１】
例えば「調子はどう」の問い掛けに対して、良ければ判断の欄Ｅを見て、○印の欄Ｅ１を指して、相手に伝えることができ、さらに自分の意志として、社会情勢の欄Ｌを見て「新聞」とか「テレビ」とか「仕事」を指で示すことにより相手に自分の気持ちが伝達できる。
【００４２】
以上、本発明について一実施例を説明したが、図示しないが、各欄３，３，……に示す項目を欄外に附設記載して「判断」とか「健康状態」とか「希望，願望」などの内容が分かりやすく表示することもできる。
【図面の簡単な説明】
【００４３】
【図１】本発明の一実施例を示す発声不全者用言語伝達表の平面図
【符号の説明】
【００４４】
１        素材
２        表面の印刷面
３，３    多数の欄
Ａ        数字の欄
Ｂ        単位の欄
Ｃ        概念の欄
Ｄ        方位方向の欄
Ｅ        判断の欄
Ｅ１      ○印の欄
Ｅ２      △印の欄
Ｅ３      ×印の欄
Ｆ        人体部分を示す欄
Ｇ        言葉の組立を示す欄
Ｈ        病院生活に必要な用語の欄
Ｉ        健康状態の欄
Ｊ        味覚，感情の欄
Ｋ１，Ｋ２  希望願望の欄
Ｌ        社会情勢の欄
Ｍ        特定の人，物，地域の表示欄
【図１】
2009145675.tif 000003